(57)【要約】【課題】イベントが発生した場合に、よりユーザが望むようにユーザに対して通知がされるように制御することが可能な技術が提供されることが望まれる。【解決手段】イベントの重要度および緊急度の少なくともいずれか一方を含む検出データを取得する取得部と、前記検出データの内容に応じて異なる通知を実行する通知オブジェクトによって所定の通知内容がユーザに通知されるように前記通知オブジェクトを制御する通知制御部と、を備え、前記通知制御部は、前記検出データに基づいて、前記通知オブジェクトを前記ユーザの中心視野または有効視野に位置させるか否かを制御する、  情報処理装置が提供される。【選択図】図１
2018179972.tif 000002
【特許請求の範囲】
【請求項１】
イベントの重要度および緊急度の少なくともいずれか一方を含む検出データを取得する取得部と、
前記検出データの内容に応じて異なる通知を実行する通知オブジェクトによって所定の通知内容がユーザに通知されるように前記通知オブジェクトを制御する通知制御部と、を備え、
前記通知制御部は、前記検出データに基づいて、前記通知オブジェクトを前記ユーザの中心視野または有効視野に位置させるか否かを制御する、
情報処理装置。
【請求項２】
前記検出データは、前記重要度を含み、
前記通知制御部は、前記重要度が第１の閾値よりも高い場合、前記通知オブジェクトを前記中心視野または前記有効視野に位置させる、
請求項１に記載の情報処理装置。
【請求項３】
前記通知制御部は、前記重要度が前記第１の閾値よりも高い場合、前記ユーザの状態が所定の状態であるか否かに応じて、前記通知オブジェクトを前記中心視野または前記有効視野に位置させるか否かを制御する、
請求項２に記載の情報処理装置。
【請求項４】
前記通知制御部は、前記重要度が前記第１の閾値よりも高い場合、前記通知オブジェクトを前記ユーザの周辺視野に位置させ、前記ユーザの状態が所定の状態であるか否かに応じて、前記通知オブジェクトを前記周辺視野から前記中心視野または前記有効視野に移動させるか否かを制御する、
請求項３に記載の情報処理装置。
【請求項５】
前記通知制御部は、前記重要度が前記第１の閾値よりも低い場合、前記通知オブジェクトを周辺視野に位置させる、
請求項２に記載の情報処理装置。
【請求項６】
前記通知制御部は、前記重要度が前記第１の閾値よりも高い場合と、前記重要度が前記第１の閾値よりも低い場合とにおいて、前記通知内容を異ならせる、
請求項２に記載の情報処理装置。
【請求項７】
前記検出データは、前記緊急度を含み、
前記通知制御部は、前記緊急度が第２の閾値よりも高い場合、前記通知オブジェクトを前記中心視野または前記有効視野に位置させる、
請求項１に記載の情報処理装置。
【請求項８】
前記通知制御部は、前記緊急度が前記第２の閾値よりも高い場合、前記ユーザの状態が所定の状態であるか否かに応じて、前記通知オブジェクトを前記中心視野または前記有効視野に位置させるか否かを制御する、
請求項７に記載の情報処理装置。
【請求項９】
前記通知制御部は、前記緊急度が前記第２の閾値よりも高い場合、前記通知オブジェクトを前記ユーザの周辺視野に位置させ、前記ユーザの状態が所定の状態であるか否かに応じて、前記通知オブジェクトを前記周辺視野から前記中心視野または前記有効視野に移動させるか否かを制御する、
請求項８に記載の情報処理装置。
【請求項１０】
前記通知制御部は、前記緊急度が前記第２の閾値よりも低い場合、前記通知オブジェクトを周辺視野に位置させる、
請求項７に記載の情報処理装置。
【請求項１１】
前記通知制御部は、前記緊急度が前記第２の閾値よりも高い場合と、前記緊急度が前記第２の閾値よりも低い場合とにおいて、前記通知内容を異ならせる、
請求項７に記載の情報処理装置。
【請求項１２】
前記通知制御部は、前記ユーザの状況が所定の状況である場合、前記通知内容が前記通知オブジェクトによって前記ユーザに通知されないように前記通知オブジェクトを制御する、
請求項１に記載の情報処理装置。
【請求項１３】
前記通知制御部は、前記イベントが所定のイベントである場合、前記ユーザの動作が次の動作に遷移する段階で前記通知内容が前記ユーザに再度通知されるように前記通知オブジェクトを制御する、
請求項１に記載の情報処理装置。
【請求項１４】
前記通知内容は、前記通知オブジェクトの状態、前記通知オブジェクトの動き、および、前記通知オブジェクトが発する音の少なくともいずれか一つを含む、
請求項１に記載の情報処理装置。
【請求項１５】
前記取得部は、機器から受信された情報から前記検出データを取得する、
請求項１に記載の情報処理装置。
【請求項１６】
前記取得部は、検出された音データの解析結果があらかじめ登録された登録情報と一致または類似する場合に、前記登録情報に関連付けられた前記検出データを取得する、
請求項１に記載の情報処理装置。
【請求項１７】
前記通知オブジェクトは、実空間に位置する実オブジェクトを含む、
請求項１に記載の情報処理装置。
【請求項１８】
前記通知オブジェクトは、仮想空間に配置された仮想オブジェクトを含む、
請求項１に記載の情報処理装置。
【請求項１９】
イベントの重要度および緊急度の少なくともいずれか一方を含む検出データを取得することと、
前記検出データの内容に応じて異なる通知を実行する通知オブジェクトによって所定の通知内容がユーザに通知されるように前記通知オブジェクトを制御することと、を含み、
プロセッサにより、前記検出データに基づいて、前記通知オブジェクトを前記ユーザの中心視野または有効視野に位置させるか否かを制御することを含む、
情報処理方法。
【請求項２０】
コンピュータを、
イベントの重要度および緊急度の少なくともいずれか一方を含む検出データを取得する取得部と、
前記検出データの内容に応じて異なる通知を実行する通知オブジェクトによって所定の通知内容がユーザに通知されるように前記通知オブジェクトを制御する通知制御部と、を備え、
前記通知制御部は、前記検出データに基づいて、前記通知オブジェクトを前記ユーザの中心視野または有効視野に位置させるか否かを制御する、
情報処理装置として機能させるためのプログラム。
【発明の詳細な説明】
【技術分野】
【０００１】
本開示は、情報処理装置、情報処理方法およびプログラムに関する。
【背景技術】
【０００２】
近年、ユーザに代わって処理の実行を制御するエージェントに関する技術が知られている。例えば、ユーザに対して視線による通知がされるように制御するエージェントに関する技術が開示されている。一例として、より自然にユーザに対して視線による通知がされるように制御するエージェントに関する技術が開示されている（例えば、特許文献１参照）。ユーザに対して視線による通知がされるタイミングとしては、何らかのイベントが発生した場合などが想定される。
【先行技術文献】
【特許文献】
【０００３】
【特許文献１】特開２０１３−００６２３２号公報
【発明の概要】
【発明が解決しようとする課題】
【０００４】
しかし、イベントが発生した場合に、ユーザに対してどの位置から通知がされるのがユーザにとって好ましいかはイベントの種類によって異なることが想定される。そこで、イベントが発生した場合に、よりユーザが望むようにユーザに対して通知がされるように制御することが可能な技術が提供されることが望まれる。
【課題を解決するための手段】
【０００５】
本開示によれば、イベントの重要度および緊急度の少なくともいずれか一方を含む検出データを取得する取得部と、前記検出データの内容に応じて異なる通知を実行する通知オブジェクトによって所定の通知内容がユーザに通知されるように前記通知オブジェクトを制御する通知制御部と、を備え、前記通知制御部は、前記検出データに基づいて、前記通知オブジェクトを前記ユーザの中心視野または有効視野に位置させるか否かを制御する、
情報処理装置が提供される。【０００６】
本開示によれば、イベントの重要度および緊急度の少なくともいずれか一方を含む検出データを取得することと、前記検出データの内容に応じて異なる通知を実行する通知オブジェクトによって所定の通知内容がユーザに通知されるように前記通知オブジェクトを制御することと、を含み、プロセッサにより、前記検出データに基づいて、前記通知オブジェクトを前記ユーザの中心視野または有効視野に位置させるか否かを制御することを含む、情報処理方法が提供される。【０００７】
本開示によれば、コンピュータを、イベントの重要度および緊急度の少なくともいずれか一方を含む検出データを取得する取得部と、前記検出データの内容に応じて異なる通知を実行する通知オブジェクトによって所定の通知内容がユーザに通知されるように前記通知オブジェクトを制御する通知制御部と、を備え、前記通知制御部は、前記検出データに基づいて、前記通知オブジェクトを前記ユーザの中心視野または有効視野に位置させるか否かを制御する、情報処理装置として機能させるためのプログラムが提供される。
【発明の効果】
【０００８】
以上説明したように本開示によれば、イベントが発生した場合に、よりユーザが望むようにユーザに対して通知がされるように制御することが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【０００９】
【図１】本開示の実施形態に係る情報処理システムの構成例を示す図である。
【図２】エージェントの機能構成例を示す図である。
【図３】制御部の詳細構成例を示す図である。
【図４】中心視野、有効視野および周辺視野それぞれの例について説明するための図である。
【図５】イベントの種類と音の特徴と重要度および緊急度とが対応付けられた対応情報の例を示す図である。
【図６】機器「キッチン」の状態が、状態「焦げ付き」となった場合の例について説明するための図である。
【図７】機器「洗濯機」の状態が、状態「洗濯終了」となった場合の例について説明するための図である。
【図８】機器「洗濯機」の状態が、状態「洗濯終了」となった場合の例について説明するための図である。
【図９】機器「呼び出しベル」の状態が、状態「呼び出し」となった場合の例について説明するための図である。
【図１０】機器「呼び出しベル」の状態が、状態「呼び出し」となった場合の例について説明するための図である。
【図１１】機器「携帯端末」の状態が、状態「メール受信」となった場合の例について説明するための図である。
【図１２】重要度および緊急度と通知オブジェクトの位置との対応関係をまとめた図である。
【図１３】情報処理システムの動作例を示すフローチャートである。
【図１４】重要度および緊急度と通知オブジェクトの位置との他の対応関係をまとめた図である。
【図１５】重要度および緊急度と通知オブジェクトの位置との他の対応関係をまとめた図である。
【図１６】情報処理装置のハードウェア構成例を示すブロック図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
また、本明細書および図面において、実質的に同一または類似の機能構成を有する複数の構成要素を、同一の符号の後に異なる数字を付して区別する場合がある。ただし、実質的に同一または類似の機能構成を有する複数の構成要素の各々を特に区別する必要がない場合、同一符号のみを付する。また、異なる実施形態の類似する構成要素については、同一の符号の後に異なるアルファベットを付して区別する場合がある。ただし、類似する構成要素の各々を特に区別する必要がない場合、同一符号のみを付する。
【００１２】
なお、説明は以下の順序で行うものとする。
０．概要
１．実施形態の詳細
１．１．システム構成例
１．２．エージェントの機能構成例
１．３．情報処理システムの機能詳細
１．３．１．一つ目のイベントの例
１．３．２．二つ目のイベントの例
１．３．３．三つ目のイベントの例
１．３．４．四つ目のイベントの例
１．３．５．イベントと通知オブジェクトの位置との対応関係
１．３．６．各種の変形例
１．３．７．動作例
１．３．８．通知オブジェクトの位置制御の他の例
２．ハードウェア構成例
３．むすび
【００１３】
＜０．概要＞
まず、本開示の実施形態の概要を説明する。近年、ユーザに代わって処理の実行を制御するエージェントに関する技術が知られている。例えば、ユーザに対して視線による通知がされるように制御するエージェントに関する技術が開示されている。一例として、より自然にユーザに対して視線による通知がされるように制御するエージェントに関する技術が開示されている。ユーザに対して視線による通知がされるタイミングとしては、何らかのイベントが発生した場合などが想定される。
【００１４】
しかし、イベントが発生した場合に、ユーザに対してどの位置から通知がされるのがユーザにとって好ましいかは、イベントの種類によって異なることが想定される。例えば、ユーザに対してどの位置から通知がされるのがユーザにとって好ましいかはイベントの重要度または緊急度によって異なることが想定される。そこで、本明細書においては、イベントが発生した場合に、よりユーザが望むようにユーザに対して通知がされるように制御することが可能な技術について主に説明する。
【００１５】
以上において、本開示の実施形態の概要について説明した。
【００１６】
＜１．実施形態の詳細＞
まず、本開示の実施形態の詳細について説明する。
【００１７】
［１．１．システム構成例］
まず、図面を参照しながら、本開示の実施形態に係る情報処理システムの構成例について説明する。図１は、本開示の実施形態に係る情報処理システムの構成例を示す図である。図１に示したように、本開示の実施形態に係る情報処理システムは、情報処理装置１０を有する。ここで、本実施形態においては、情報処理装置１０が、ユーザＵ１に代わって処理の実行を制御するエージェントである場合を主に説明する。そこで、以下の説明においては、情報処理装置１０を主に「エージェント１０」と称する。しかし、情報処理装置１０は、エージェントに限定されない。
【００１８】
図１を参照すると、ユーザＵ１が、テレビジョン装置Ｔ１の画面に視線ＬＮを当てている。このように、本実施形態においては、ユーザＵ１がテレビジョン装置Ｔ１の画面を見ている場合を主に想定する。しかし、ユーザＵ１はテレビジョン装置Ｔ１とは異なる物体に視線ＬＮを当てていてもよい。また、図１を参照すると、ユーザＵ１の視線ＬＮを基準として、中心視野Ｒ１、有効視野Ｒ２および周辺視野Ｒ３が示されている。中心視野Ｒ１、有効視野Ｒ２および周辺視野Ｒ３については、後に詳細に説明する。
【００１９】
本実施形態においては、ユーザＵ１がテレビジョン装置Ｔ１の画面を見ている間に、何らかのイベントが発生する場合を主に想定する。イベントの具体例については、後に詳細に説明する。本実施形態においては、イベントが発生した場合に、通知オブジェクト２０によって所定の通知内容がユーザＵ１に通知される。通知内容の例についても、後に詳細に説明する。
【００２０】
また、本実施形態においては、通知オブジェクト２０が実空間に位置する実オブジェクトを含む場合を主に想定する。しかし、通知オブジェクト２０は、仮想空間に配置された仮想オブジェクトを含んでもよい。例えば、通知オブジェクト２０が仮想オブジェクトを含む場合、通知オブジェクト２０は、ディスプレイによって表示されるオブジェクトであってもよいし、プロジェクタによって表示されるオブジェクトであってもよい。
【００２１】
また、本実施形態においては、エージェント１０と通知オブジェクト２０とが一体化されている場合を主に想定する。しかし、エージェント１０と通知オブジェクト２０とは一体化されていなくてもよい。例えば、エージェント１０と通知オブジェクト２０とは別体として存在していてもよい。通知オブジェクト２０は、イベントが発生した場合に、中心視野Ｒ１、有効視野Ｒ２および周辺視野Ｒ３のいずれかからユーザＵ１に対して通知を行う。
【００２２】
以上、本実施形態に係る情報処理システムの構成例について説明した。
【００２３】
［１．２．エージェントの機能構成例］
続いて、エージェント１０の機能構成例について説明する。図２は、エージェント１０の機能構成例を示す図である。図２に示したように、エージェント１０は、検出部１１０、制御部１２０、記憶部１３０、通信部１４０および通知部１５０を有している。検出部１１０は、音データおよび画像を検出する機能を有しており、集音部１１１および撮像部１１２を有している。また、通知部１５０は、ユーザＵ１への通知を行う機能を有しており、音出力部１５１および表示部１５２を有している。
【００２４】
集音部１１１は、集音によって音データを得る機能を有する。例えば、集音部１１１は、マイクロフォンによって構成されており、マイクロフォンによって集音を行う。集音部１１１の数は１以上であれば特に限定されない。そして、集音部１１１が設けられる位置も特に限定されない。例えば、集音部１１１は、通知オブジェクト２０と一体化されていてもよいし、通知オブジェクト２０とは別体として存在していてもよい。
【００２５】
撮像部１１２は、撮像により画像を得る機能を有する。例えば、撮像部１１２は、カメラ（イメージセンサを含む）を含んでおり、カメラによって撮像された画像を得る。カメラの種類は限定されない。例えば、ユーザＵ１の視線ＬＮを検出可能な画像を得るカメラであってよい。撮像部１１２の数は１以上であれば特に限定されない。そして、撮像部１１２が設けられる位置も特に限定されない。例えば、撮像部１１２は、通知オブジェクト２０と一体化されていてもよいし、通知オブジェクト２０とは別体として存在していてもよい。
【００２６】
制御部１２０は、エージェント１０の各部の制御を実行する。図３は、制御部１２０の詳細構成例を示す図である。図３に示したように、制御部１２０は、認識部１２１、取得部１２２および通知制御部１２３を備える。これらの各機能ブロックについての詳細は、後に説明する。なお、制御部１２０は、例えば、１または複数のＣＰＵ（Ｃｅｎｔｒａｌ  Ｐｒｏｃｅｓｓｉｎｇ  Ｕｎｉｔ；中央演算処理装置）などで構成されていてよい。制御部１２０がＣＰＵなどといった処理装置によって構成される場合、かかる処理装置は、電子回路によって構成されてよい。
【００２７】
図２に戻って説明を続ける。通信部１４０は、通信回路によって構成されており、通信ネットワークを介して通信ネットワークに接続されたサーバ装置（不図示）からのデータの取得および当該サーバ装置（不図示）へのデータの提供を行う機能を有する。例えば、通信部１４０は、通信インターフェースにより構成される。なお、通信ネットワークに接続されるサーバ装置（不図示）は、１つであってもよいし、複数であってもよい。
【００２８】
記憶部１３０は、メモリを含んで構成され、制御部１２０によって実行されるプログラムを記憶したり、プログラムの実行に必要なデータを記憶したりする記録媒体である。また、記憶部１３０は、制御部１２０による演算のためにデータを一時的に記憶する。記憶部１３０は、磁気記憶部デバイス、半導体記憶デバイス、光記憶デバイス、または、光磁気記憶デバイスなどにより構成される。
【００２９】
音出力部１５１は、音を出力する機能を有する。例えば、音出力部１５１は、スピーカによって構成されており、スピーカによって音を出力する。音出力部１５１の数は１以上であれば特に限定されない。そして、音出力部１５１が設けられる位置も特に限定されない。しかし、本実施形態においては、通知オブジェクト２０から出力される音をユーザＵ１に聞かせるのが望ましいため、音出力部１５１の音源は、通知オブジェクト２０と一体化されているのが望ましい。
【００３０】
表示部１５２は、ユーザＵ１に視認可能な表示を行う機能を有する。本実施形態においては、表示部１５２が通知オブジェクト２０の表情を生成する駆動装置によって構成される場合を主に想定する。しかし、表示部１５２は、ユーザに視認可能な表示を行うことが可能なデバイスであればよく、液晶ディスプレイおよび有機ＥＬ（Ｅｌｅｃｔｒｏ−Ｌｕｍｉｎｅｓｃｅｎｃｅ）ディスプレイなどのディスプレイであってもよいし、プロジェクタであってもよい。
【００３１】
以上、本実施形態に係るエージェント１０の機能構成例について説明した。
【００３２】
［１．３．情報処理システムの機能詳細］
続いて、本実施形態に係る情報処理システムの機能詳細について説明する。上記したように、イベントが発生した場合に、中心視野Ｒ１、有効視野Ｒ２および周辺視野Ｒ３のいずれかから、通知オブジェクト２０によってユーザＵ１に対して通知が行われる。ここで、中心視野Ｒ１、有効視野Ｒ２および周辺視野Ｒ３それぞれの例について、図４を参照しながら詳細に説明する。
【００３３】
図４は、中心視野Ｒ１、有効視野Ｒ２および周辺視野Ｒ３それぞれの例について説明するための図である。ここでは、ユーザＵ１の位置を通過する水平方向の各視野の例について説明する。図４を参照すると、ユーザＵ１とユーザＵ１の視線ＬＮとが示されている。図４に示すように、中心視野Ｒ１は、視線ＬＮを含む領域であってよい。例えば、中心視野Ｒ１は、ユーザＵ１の位置を通過する直線であり、かつ、視線ＬＮとのなす角が角度（Ａ１／２）となる直線に挟まれる領域であってよい。図４には、角度Ａ１が示されている。角度Ａ１の具体的な大きさは限定されないが、例えば、１度〜２度におけるいずれかの角度であってよい。
【００３４】
また、図４に示すように、有効視野Ｒ２は、視線ＬＮを基準として中心視野Ｒ１よりも外側の領域であってよい。例えば、有効視野Ｒ２は、ユーザＵ１の位置を通過する直線であり、かつ、視線ＬＮとのなす角が（角度Ａ２／２）となる直線に挟まれる領域のうち、中心視野Ｒ１が除外された領域であってよい。図４には、角度Ａ２が示されている。角度Ａ２の具体的な大きさは限定されないが、例えば、４度〜２０度におけるいずれかの角度であってよい。
【００３５】
また、図４に示すように、周辺視野Ｒ３は、視線ＬＮを基準として有効視野Ｒ２よりも外側の領域であってよい。例えば、周辺視野Ｒ３は、ユーザＵ１の位置を通過する直線であり、かつ、視線ＬＮとのなす角が（角度Ａ３／２）となる直線に挟まれる領域のうち、中心視野Ｒ１および有効視野Ｒ２が除外された領域であってよい。図４には、角度Ａ３が示されている。角度Ａ３の具体的な大きさは限定されないが、例えば、約２００度であってよい。
【００３６】
なお、ここでは、ユーザＵ１の位置を通過する水平方向の各視野の例について説明した。しかし、他の方向（例えば、垂直方向）における各視野も同様にして定義されてよい。その場合、上記の角度Ａ１〜Ａ３に相当する角度は、方向によって異なっていてよい。例えば、一般的には垂直方向への視野よりも水平方向への視野が広い傾向にあるため、水平方向における上記の角度Ａ１〜Ａ３よりも垂直方向における上記の角度Ａ１〜Ａ３に相当する角度は、小さくてよい。
【００３７】
また、本実施形態においては、１人のユーザが存在する場合を主に想定する。しかし、複数のユーザが存在する場合も想定される。かかる場合、上記の角度Ａ１〜Ａ３は、複数のユーザに対して同じであってもよいし、ユーザごとに異なっていてもよい。あるいは、上記の角度Ａ１〜Ａ３は、ユーザの状態ごとに異なっていてもよい。例えば、ユーザＵ１がテレビジョン装置Ｔ１の画面を見ている場合には、ユーザＵ１が雑誌を読んでいる場合よりも、角度Ａ１〜Ａ３が狭くてもよい。
【００３８】
以上において、中心視野Ｒ１、有効視野Ｒ２および周辺視野Ｒ３それぞれの例について説明した。本実施形態においては、イベントが発生した場合に、通知オブジェクト２０をユーザＵ１の中心視野Ｒ１または有効視野Ｒ２に位置させるか否かを制御する。より具体的に、取得部１２２は、イベントの重要度および緊急度の少なくともいずれか一方を含む検出データを取得する。そして、通知制御部１２３は、通知オブジェクト２０によって検出データの内容に応じて異なる通知内容がユーザＵ１に通知されるように通知オブジェクト２０を制御する。
【００３９】
このとき、通知制御部１２３は、検出データに基づいて、通知オブジェクト２０をユーザＵ１の中心視野Ｒ１または有効視野Ｒ２に位置させるか否かを制御する。かかる制御によれば、イベントが発生した場合に、よりユーザＵ１が望むようにユーザＵ１に対して通知オブジェクト２０によって通知がされるように通知オブジェクト２０を制御することが可能となる。
【００４０】
以下では、検出データが重要度および緊急度の双方を含む場合を主に説明する。しかし、検出データは、重要度および緊急度のいずれか一方のみを含んでもよい。また、本実施形態においては、機器の状態が所定の状態となったことがイベントとして取得される例を主に説明する。しかし、取得部１２２によって取得されるイベントは、機器の状態が所定の状態となったことに限定されない。例えば、取得部１２２によって取得されるイベントは、機器以外の物（例えば、人物など）が所定の状態となったことであってもよい。例えば、取得部１２２によって取得されるイベントは、人物が所定の状態（例えば、幼児が泣き始めた状態など）となったことであってもよい。
【００４１】
ここで、イベントはどのようにして取得されてもよい。一例として、取得部１２２は、機器から受信された情報から検出データを取得してもよい。しかし、機器から直接的に検出データを含む情報が送信されない場合も想定される。以下では、認識部１２１が、集音部１１１によって集音された音データを解析することによって、音データの解析結果を取得する場合を主に説明する。かかる場合、取得部１２２は、音データの解析結果があらかじめ登録された登録情報と一致または類似する場合に、登録情報に関連付けられた検出データを取得する。
【００４２】
音データの解析結果と登録情報との類似範囲は、特に限定されない。例えば、音データの解析結果と登録情報との類似範囲は、あらかじめ設定されていてよい。例えば、登録情報が、記憶部１３０によってあらかじめ記憶されている場合、取得部１２２は、記憶部１３０から登録情報を取得してよい。以下では、登録情報の例として、音の特徴があらかじめ記憶部１３０によって記憶されている場合を主に説明する。
【００４３】
図５は、イベントの種類と音の特徴と重要度および緊急度とが対応付けられた対応情報の例を示す図である。図５に示すように、イベントの種類は、機器および機器の状態を含んでよい。また、図５に示すように、音の特徴は、機器が報知音を発する回数および機器が発する音の周波数などであってよい。あるいは、音の特徴は、機器が発する音が到来する方向などであってもよい。また、重要度および緊急度それぞれは、数値によって表されてよい。かかる対応情報は、あらかじめ記憶部１３０によって記憶されていてよい。
【００４４】
（１．３．１．一つ目のイベントの例）
まず、一つ目のイベントの例として、機器「キッチン」の状態が、状態「焦げ付き」となった場合の例について説明する。なお、機器「キッチン」の状態が、状態「焦げ付き」となったというイベントは、重要度Ｍ１が、第１の閾値よりも高く、かつ、緊急度Ｎ１が、第２の閾値よりも高いとして、以下の説明を行う。しかし、機器「キッチン」の状態が、状態「焦げ付き」となったというイベントの重要度および緊急度は、かかる例に限定されない。
【００４５】
また、上記したように、取得部１２２によって重要度および緊急度のいずれか一方のみが取得されてもよい。すなわち、以下の説明において、重要度Ｍ１が、第１の閾値よりも高く、かつ、緊急度Ｎ１が、第２の閾値よりも高い場合という条件は、単に、重要度Ｍ１が、第１の閾値よりも高い場合という条件に置き換えられてもよい。あるいは、以下の説明において、重要度Ｍ１が、第１の閾値よりも高く、かつ、緊急度Ｎ１が、第２の閾値よりも高い場合という条件は、単に、緊急度Ｎ１が、第２の閾値よりも高い場合という条件に置き換えられてもよい。
【００４６】
図６は、機器「キッチン」の状態が、状態「焦げ付き」となった場合の例について説明するための図である。図６を参照すると、ユーザＵ１は、テレビジョン装置Ｔ１の画面を見ている。しかし、キッチン７１においてフライパンの上の料理が焦げ付いている。このとき、キッチン７１から状態「焦げ付き」を知らせるための報知音がＢ１回（ただし、Ｂ１は、１以上の整数）出力される。そして、集音部１１１は、かかる報知音を含む音データを集音する。
【００４７】
認識部１２１は、集音部１１１によって集音された音データを解析して解析結果を得る。ここでは、認識部１２１が、報知音の回数「報知音Ｂ１回」を音データの解析結果として得る場合を想定する。かかる場合、取得部１２２は、音データの解析結果「報知音Ｂ１回」を取得し、音データの解析結果「報知音Ｂ１回」と、あらかじめ登録された音の特徴（図５）とが一致または類似するか否かを判定する。
【００４８】
ここでは、取得部１２２は、音データの解析結果「報知音Ｂ１回」とあらかじめ登録された音の特徴「報知音Ｂ１回」とが一致すると判定し、あらかじめ登録された音の特徴「報知音Ｂ１回」に関連付けられた重要度Ｍ１および緊急度Ｎ１を取得する。通知制御部１２３は、重要度Ｍ１と第１の閾値とを比較するとともに、緊急度Ｎ１と第２の閾値とを比較する。ここでは、上記したように、通知制御部１２３は、重要度Ｍ１が第１の閾値よりも高く、緊急度Ｎ１が第２の閾値よりも高いと判定する。
【００４９】
重要度Ｍ１が第１の閾値よりも高く、緊急度Ｎ１が第２の閾値よりも高い場合には、ユーザＵ１によってはっきりと見える位置に直ちに通知オブジェクト２０が移動され、通知オブジェクト２０から通知内容が通知されるのがユーザＵ１にとって望ましいと考えられる。そこで、通知制御部１２３は、重要度Ｍ１が第１の閾値よりも高く、緊急度Ｎ１が第２の閾値よりも高い場合には、通知オブジェクト２０がユーザＵ１の中心視野Ｒ１または有効視野Ｒ２に位置するように制御する。
【００５０】
なお、中心視野Ｒ１または有効視野Ｒ２は、ユーザＵ１の視線ＬＮを基準として、図４を参照しながら説明したようにして、認識部１２１によって認識される。ユーザＵ１の視線ＬＮは、撮像部１１２によって撮像された画像に基づいて認識されてよい。例えば、撮像部１１２によってユーザＵ１の目が撮像される場合、認識部１２１は、画像に写る目から視線ＬＮを認識してもよい。あるいは、撮像部１１２によってユーザＵ１の顔が撮像される場合、認識部１２１は、画像に写る顔の向きを視線ＬＮとして認識してもよい。
【００５１】
図６を参照すると、通知制御部１２３が、通知オブジェクト２０を中心視野Ｒ１に移動させた例が示されている。なお、通知制御部１２３は、通知オブジェクト２０が実オブジェクトである場合、通知オブジェクト２０のモータを制御することによって、通知オブジェクト２０を移動させればよい。一方、通知制御部１２３は、通知オブジェクト２０が仮想オブジェクトである場合、ディスプレイまたはプロジェクタを制御することによって、通知オブジェクト２０を移動させればよい。
【００５２】
また、通知制御部１２３は、ユーザＵ１に対して、重要度Ｍ１および緊急度Ｎ１に応じた通知内容が通知されるように通知部１５０を制御する。通知内容の通知の開始タイミングは、限定されない。例えば、通知内容の通知は、通知オブジェクト２０の移動開始前から開始されてもよいし、通知オブジェクト２０の移動中に開始されてもよいし、通知オブジェクト２０の移動終了後に開始されてもよい。
【００５３】
ここで、ユーザＵ１に対して通知される通知内容は特に限定されない。かかる通知内容は、通知オブジェクト２０の状態を含んでもよいし、通知オブジェクト２０の動きを含んでもよいし、通知オブジェクト２０が発する音を含んでもよい。あるいは、通知内容は、通知オブジェクト２０の状態、通知オブジェクト２０の動きおよび通知オブジェクト２０が発する音のうち、いずれか二つ以上または全部を含んでもよい。
【００５４】
通知オブジェクト２０の状態は、通知オブジェクト２０の表情を含んでもよい。図６には、通知制御部１２３が、通知オブジェクト２０の表情を驚いた表情かつ深刻な表情にする例が示されている。例えば、「驚いた表情かつ深刻な表情」は「うろたえた表情」または「パニックになった表情」に置き換えられてもよい。また、表情の制御は、通知オブジェクト２０の顔の１または複数のパーツの形状、向きおよび位置の少なくともいずれか一つの制御によってなされてよい。
【００５５】
また、通知制御部１２３によって制御される顔の１または複数のパーツは、特に限定されない。例えば、通知制御部１２３によって制御される顔の１または複数のパーツは、目、眉毛、口、鼻および頬の少なくともいずれか一つを含んでよい。図６に示した例では、通知オブジェクト２０の口の形状が歪んだ形状に変更され、眉毛の向きが顔の中心から端部に向けて下がるように変更されることによって、表情が制御されている。
【００５６】
また、通知オブジェクト２０の状態は、通知オブジェクト２０とユーザＵ１との距離を含んでもよい。例えば、通知制御部１２３は、発生したイベントの重要度が高いほど、通知オブジェクト２０とユーザＵ１との距離が近くなるように通知オブジェクト２０の位置を制御してもよい。あるいは、通知制御部１２３は、発生したイベントの緊急度が高いほど、通知オブジェクト２０とユーザＵ１との距離が近くなるように通知オブジェクト２０の位置を制御してもよい。
【００５７】
また、通知オブジェクト２０の動きは、通知オブジェクト２０の一部または全部の動きを含んでもよい。例えば、通知オブジェクト２０の動きは、キッチン７１のほうを見るという動きであってもよいし、首をかしげるという動きであってもよいし、頷くという動きであってもよい。あるいは、通知オブジェクト２０の動きは、ユーザＵ１の周りを回るような動きであってもよいし、ユーザＵ１を引っ張るような動きであってもよい。
【００５８】
あるいは、通知オブジェクト２０の動きは、通知オブジェクト２０がユーザＵ１を見る頻度を含んでもよい。例えば、通知制御部１２３は、発生したイベントの重要度が高いほど、通知オブジェクト２０がユーザＵ１を見る頻度が高くなるように通知オブジェクト２０の動きを制御してもよい。あるいは、通知制御部１２３は、発生したイベントの緊急度が高いほど、通知オブジェクト２０がユーザＵ１を見る頻度が高くなるように通知オブジェクト２０の動きを制御してもよい。
【００５９】
あるいは、通知オブジェクト２０の動きは、通知オブジェクト２０がユーザＵ１を見る時間を含んでもよい。例えば、通知制御部１２３は、発生したイベントの重要度が高いほど、通知オブジェクト２０がユーザＵ１を見る時間が長くなるように通知オブジェクト２０の動きを制御してもよい。あるいは、通知制御部１２３は、発生したイベントの緊急度が高いほど、通知オブジェクト２０がユーザＵ１を見る時間が長くなるように通知オブジェクト２０の動きを制御してもよい。
【００６０】
また、通知オブジェクト２０が発する音は、特に限定されない。例えば、通知オブジェクト２０が発する音は、ユーザＵ１によって解釈され得るテキストの読み上げによって発せられてもよい。例えば、ユーザＵ１によって解釈され得るテキストは、「大変」などといった言語であってよいが、特に限定されない。あるいは、通知オブジェクト２０が発する音は、単なる報知音などであってもよい。
【００６１】
（１．３．２．二つ目のイベントの例）
続いて、二つ目のイベントの例として、機器「洗濯機」の状態が、状態「洗濯終了」となった場合の例について説明する。なお、機器「洗濯機」の状態が、状態「洗濯終了」となったというイベントは、重要度Ｍ２が、第１の閾値よりも高く、かつ、緊急度Ｎ２が、第２の閾値よりも低いとして、以下の説明を行う。しかし、機器「洗濯機」の状態が、状態「洗濯終了」となったというイベントの重要度および緊急度は、かかる例に限定されない。
【００６２】
また、上記したように、取得部１２２によって重要度および緊急度のいずれか一方のみが取得されてもよい。すなわち、以下の説明において、重要度Ｍ２が、第１の閾値よりも高く、かつ、緊急度Ｎ２が、第２の閾値よりも低い場合という条件は、単に、重要度Ｍ２が、第１の閾値よりも高い場合という条件に置き換えられてもよい。あるいは、以下の説明において、重要度Ｍ２が、第１の閾値よりも高く、かつ、緊急度Ｎ２が、第２の閾値よりも低い場合という条件は、単に、緊急度Ｎ２が、第２の閾値よりも低い場合という条件に置き換えられてもよい。
【００６３】
図７および図８は、機器「洗濯機」の状態が、状態「洗濯終了」となった場合の例について説明するための図である。図７を参照すると、ユーザＵ１は、テレビジョン装置Ｔ１の画面を見ている。しかし、洗濯機７２において洗濯が終了している。このとき、洗濯機７２から状態「洗濯終了」を知らせるための報知音がＢ２回（ただし、Ｂ２は、１以上の整数）出力される。そして、集音部１１１は、かかる報知音を含む音データを集音する。
【００６４】
認識部１２１は、集音部１１１によって集音された音データを解析して解析結果を得る。ここでは、認識部１２１が、報知音の回数「報知音Ｂ２回」を音データの解析結果として得る場合を想定する。かかる場合、取得部１２２は、音データの解析結果「報知音Ｂ２回」を取得し、音データの解析結果「報知音Ｂ２回」と、あらかじめ登録された音の特徴（図５）とが一致または類似するか否かを判定する。
【００６５】
ここでは、取得部１２２は、音データの解析結果「報知音Ｂ２回」とあらかじめ登録された音の特徴「報知音Ｂ２回」とが一致すると判定し、あらかじめ登録された音の特徴「報知音Ｂ２回」に関連付けられた重要度Ｍ２および緊急度Ｎ２を取得する。通知制御部１２３は、重要度Ｍ２と第１の閾値とを比較するとともに、緊急度Ｎ２と第２の閾値とを比較する。ここでは、上記したように、通知制御部１２３は、重要度Ｍ２が第１の閾値よりも高く、緊急度Ｎ２が第２の閾値よりも低いと判定する。
【００６６】
重要度Ｍ２が第１の閾値よりも高く、緊急度Ｎ２が第２の閾値よりも低い場合には、ユーザＵ１の状態が所定の状態（例えば、ユーザＵ１が洗濯機７２を見ていない状態、ユーザＵ１が頷いていない状態など）である場合に、ユーザＵ１によってはっきりと見える位置に通知オブジェクト２０が移動され、通知オブジェクト２０から通知内容が通知されるのがユーザＵ１にとって望ましいと考えられる。ユーザＵ１の状態が所定の状態となったことは、撮像部１１２によって撮像された画像から認識部１２１によって認識され得る。
【００６７】
そこで、図７に示すように、通知制御部１２３は、重要度Ｍ２が第１の閾値よりも高く、緊急度Ｎ２が第２の閾値よりも低い場合には、通知オブジェクト２０をまずは周辺視野Ｒ３に位置させるのがよい。そして、通知制御部１２３は、ユーザＵ１の状態が所定の状態であるか否かに応じて、通知オブジェクト２０をユーザＵ１の中心視野Ｒ１または有効視野Ｒ２に位置させるか否かを制御すればよい。例えば、通知制御部１２３は、ユーザＵ１の状態が所定の状態である場合に、図８に示すように、通知オブジェクト２０をユーザＵ１の中心視野Ｒ１または有効視野Ｒ２に移動させればよい。
【００６８】
なお、中心視野Ｒ１または有効視野Ｒ２は、一つ目のイベントの例と同様にして、認識部１２１によって認識される。また、周辺視野Ｒ３も、ユーザＵ１の視線ＬＮを基準として、図４を参照しながら説明したようにして、認識部１２１によって認識される。通知オブジェクト２０の移動も、一つ目のイベントの例と同様にして、通知制御部１２３によって制御されてよい。
【００６９】
また、通知制御部１２３は、ユーザＵ１に対して、重要度Ｍ２および緊急度Ｎ２に応じた通知内容が通知されるように通知部１５０を制御する。通知内容の通知の開始タイミングは、一つ目のイベントの例と同様に限定されない。例えば、通知内容の通知は、通知オブジェクト２０の周辺視野Ｒ３への移動開始前から開始されてもよいし、通知オブジェクト２０の周辺視野Ｒ３への移動中に開始されてもよいし、通知オブジェクト２０の周辺視野Ｒ３への移動終了後に開始されてもよい。
【００７０】
あるいは、通知内容の通知は、通知オブジェクト２０の中心視野Ｒ１または有効視野Ｒ２への移動開始前から開始されてもよいし、通知オブジェクト２０の中心視野Ｒ１または有効視野Ｒ２への移動中に開始されてもよいし、通知オブジェクト２０の中心視野Ｒ１または有効視野Ｒ２への移動終了後に開始されてもよい。特に、通知オブジェクト２０が周辺視野Ｒ３に位置する間は、ユーザＵ１によって通知オブジェクト２０の表情を認識できない可能性もある。そのため、通知オブジェクト２０の表情の制御は、通知オブジェクト２０が周辺視野Ｒ３を脱してからでも遅くないと考えられる。
【００７１】
ユーザＵ１に対して通知される通知内容も、一つ目のイベントの例と同様に限定されない。しかし、通知制御部１２３は、本例においてユーザＵ１に対して通知される通知内容を、一つ目のイベントの例においてユーザＵ１に対して通知される通知内容と異ならせるのがよい。かかる通知内容は、通知オブジェクト２０の状態を含んでもよいし、通知オブジェクト２０の動きを含んでもよいし、通知オブジェクト２０が発する音を含んでもよい。あるいは、通知内容は、通知オブジェクト２０の状態、通知オブジェクト２０の動きおよび通知オブジェクト２０が発する音のうち、いずれか二つ以上または全部を含んでもよい。
【００７２】
通知オブジェクト２０の状態は、通知オブジェクト２０の表情を含んでもよい。図７には、通知制御部１２３が、通知オブジェクト２０の表情を深刻な表情にする例が示されている。図７に示した例では、通知オブジェクト２０の口の形状が口の端部が下がった形状に変更され、眉毛の向きが顔の中心から端部に向けて下がるように変更されることによって、表情が制御されている。
【００７３】
また、通知オブジェクト２０の状態は、通知オブジェクト２０とユーザＵ１との距離を含んでもよい。また、通知オブジェクト２０の動きは、通知オブジェクト２０の一部または全部の動きを含んでもよい。特に、本例のように、イベントが洗濯終了などといった何らかの処理実行完了である場合には、通知オブジェクト２０の動きは、頷くという動きであってよい。あるいは、通知オブジェクト２０の動きは、機器のほうを見た後、ユーザＵ１から処理実行が完了したかを訊ねられた場合に、頷くという動きであってもよい。
【００７４】
あるいは、通知オブジェクト２０の動きは、通知オブジェクト２０がユーザＵ１を見る頻度を含んでもよい。あるいは、通知オブジェクト２０の動きは、通知オブジェクト２０がユーザＵ１を見る時間を含んでもよい。
【００７５】
また、通知オブジェクト２０が発する音も、一つ目のイベントの例と同様に、特に限定されない。しかし、通知制御部１２３は、通知オブジェクト２０が周辺視野Ｒ３に位置する間は、通知オブジェクト２０によって発せられる音がユーザＵ１の行為を妨げるおそれがあるため、通知オブジェクト２０によって音が発せられないようにしてもよい。一方、通知制御部１２３は、通知オブジェクト２０が中心視野Ｒ１または有効視野Ｒ２に位置する間は、通知オブジェクト２０によって音が発せられるように通知オブジェクト２０を制御してもよい。
【００７６】
（１．３．３．三つ目のイベントの例）
続いて、三つ目のイベントの例として、機器「呼び出しベル」の状態が、状態「呼び出し」となった場合の例について説明する。なお、機器「呼び出しベル」の状態が、状態「呼び出し」となったというイベントは、重要度Ｍ３が、第１の閾値よりも低く、かつ、緊急度Ｎ２が、第２の閾値よりも高いとして、以下の説明を行う。しかし、機器「呼び出しベル」の状態が、状態「呼び出し」となったというイベントの重要度および緊急度は、かかる例に限定されない。
【００７７】
また、上記したように、取得部１２２によって重要度および緊急度のいずれか一方のみが取得されてもよい。すなわち、以下の説明において、重要度Ｍ３が、第１の閾値よりも低く、かつ、緊急度Ｎ３が、第２の閾値よりも高い場合という条件は、単に、重要度Ｍ３が、第１の閾値よりも低い場合という条件に置き換えられてもよい。あるいは、以下の説明において、重要度Ｍ３が、第１の閾値よりも低く、かつ、緊急度Ｎ３が、第２の閾値よりも高い場合という条件は、単に、緊急度Ｎ３が、第２の閾値よりも高い場合という条件に置き換えられてもよい。
【００７８】
図９および図１０は、機器「呼び出しベル」の状態が、状態「呼び出し」となった場合の例について説明するための図である。図９を参照すると、ユーザＵ１は、テレビジョン装置Ｔ１の画面を見ている。しかし、ユーザＵ１の家の訪問者が呼び出しベル７３を押している。このとき、呼び出しベル７３から状態「呼び出し」を知らせるための周波数Ｆ１の呼び出し音が出力される。そして、集音部１１１は、かかる呼び出し音を含む音データを集音する。
【００７９】
認識部１２１は、集音部１１１によって集音された音データを解析して解析結果を得る。ここでは、認識部１２１が、呼び出し音の周波数「周波数Ｆ１」を音データの解析結果として得る場合を想定する。かかる場合、取得部１２２は、音データの解析結果「周波数Ｆ１」を取得し、音データの解析結果「周波数Ｆ１」と、あらかじめ登録された音の特徴（図５）とが一致または類似するか否かを判定する。
【００８０】
ここでは、取得部１２２は、音データの解析結果「周波数Ｆ１」とあらかじめ登録された音の特徴「周波数Ｆ１」とが一致すると判定し、あらかじめ登録された音の特徴「周波数Ｆ１」に関連付けられた重要度Ｍ３および緊急度Ｎ３を取得する。通知制御部１２３は、重要度Ｍ３と第１の閾値とを比較するとともに、緊急度Ｎ３と第２の閾値とを比較する。ここでは、上記したように、通知制御部１２３は、重要度Ｍ３が第１の閾値よりも低く、緊急度Ｎ３が第２の閾値よりも高いと判定する。
【００８１】
重要度Ｍ３が第１の閾値よりも低く、緊急度Ｎ３が第２の閾値よりも高い場合には、ユーザＵ１の状態が所定の状態（例えば、ユーザＵ１が洗濯機７２を見ていない状態、ユーザＵ１が頷いていない状態など）である場合に、ユーザＵ１によってはっきりと見える位置に通知オブジェクト２０が移動され、通知オブジェクト２０から通知内容が通知されるのがユーザＵ１にとって望ましいと考えられる。ユーザＵ１の状態が所定の状態となったことは、撮像部１１２によって撮像された画像から認識部１２１によって認識され得る。
【００８２】
そこで、図９に示すように、通知制御部１２３は、重要度Ｍ３が第１の閾値よりも低く、緊急度Ｎ３が第２の閾値よりも高い場合には、通知オブジェクト２０をまずは周辺視野Ｒ３に位置させるのがよい。そして、通知制御部１２３は、ユーザＵ１の状態が所定の状態であるか否かに応じて、通知オブジェクト２０をユーザＵ１の中心視野Ｒ１または有効視野Ｒ２に位置させるか否かを制御すればよい。例えば、通知制御部１２３は、ユーザＵ１の状態が所定の状態である場合に、図１０に示すように、通知オブジェクト２０をユーザＵ１の中心視野Ｒ１または有効視野Ｒ２に移動させればよい。
【００８３】
なお、中心視野Ｒ１または有効視野Ｒ２は、一つ目のイベントの例と同様にして、認識部１２１によって認識される。また、周辺視野Ｒ３も、ユーザＵ１の視線ＬＮを基準として、図４を参照しながら説明したようにして、認識部１２１によって認識される。通知オブジェクト２０の移動も、一つ目のイベントの例と同様にして、通知制御部１２３によって制御されてよい。
【００８４】
また、通知制御部１２３は、ユーザＵ１に対して、重要度Ｍ３および緊急度Ｎ３に応じた通知内容が通知されるように通知部１５０を制御する。通知内容の通知の開始タイミングは、一つ目のイベントの例と同様に限定されない。例えば、通知内容の通知は、通知オブジェクト２０の周辺視野Ｒ３への移動開始前から開始されてもよいし、通知オブジェクト２０の周辺視野Ｒ３への移動中に開始されてもよいし、通知オブジェクト２０の周辺視野Ｒ３への移動終了後に開始されてもよい。
【００８５】
あるいは、通知内容の通知は、通知オブジェクト２０の中心視野Ｒ１または有効視野Ｒ２への移動開始前から開始されてもよいし、通知オブジェクト２０の中心視野Ｒ１または有効視野Ｒ２への移動中に開始されてもよいし、通知オブジェクト２０の中心視野Ｒ１または有効視野Ｒ２への移動終了後に開始されてもよい。特に、通知オブジェクト２０が周辺視野Ｒ３に位置する間は、ユーザＵ１によって通知オブジェクト２０の表情を認識できない可能性もある。そのため、通知オブジェクト２０の表情の制御は、通知オブジェクト２０が周辺視野Ｒ３を脱してからでも遅くないと考えられる。
【００８６】
ユーザＵ１に対して通知される通知内容も、一つ目のイベントの例と同様に限定されない。しかし、通知制御部１２３は、本例においてユーザＵ１に対して通知される通知内容を、一つ目のイベントの例および二つ目のイベントの例それぞれにおいてユーザＵ１に対して通知される通知内容と異ならせるのがよい。かかる通知内容は、通知オブジェクト２０の状態を含んでもよいし、通知オブジェクト２０の動きを含んでもよいし、通知オブジェクト２０が発する音を含んでもよい。あるいは、通知内容は、通知オブジェクト２０の状態、通知オブジェクト２０の動きおよび通知オブジェクト２０が発する音のうち、いずれか二つ以上または全部を含んでもよい。
【００８７】
通知オブジェクト２０の状態は、通知オブジェクト２０の表情を含んでもよい。図９には、通知制御部１２３が、通知オブジェクト２０の表情を驚いた表情にする例が示されている。図９に示した例では、通知オブジェクト２０の口の形状が開いた形状に変更され、眉毛の向きが顔の中心から端部に向けて上がるように変更されることによって、表情が制御されている。
【００８８】
また、通知オブジェクト２０の状態は、通知オブジェクト２０とユーザＵ１との距離を含んでもよい。また、通知オブジェクト２０の動きは、通知オブジェクト２０の一部または全部の動きを含んでもよい。特に、本例のように、イベントが呼び出しベルによる呼び出しなどといった誰かから訪問を受けた場合（あるいは、誰かから質問を受けた場合など）には、通知オブジェクト２０の動きは、首をかしげるという動きであってよい。あるいは、通知オブジェクト２０の動きは、機器のほうを見た後、ユーザＵ１から誰かから訪問または質問を受けたかを訊ねられた場合に、首をかしげるという動きであってもよい。あるいは、通知オブジェクト２０の動きは、ユーザＵ１の周りを回るような動きであってもよいし、ユーザＵ１を引っ張るような動きであってもよい。
【００８９】
あるいは、通知オブジェクト２０の動きは、通知オブジェクト２０がユーザＵ１を見る頻度を含んでもよい。あるいは、通知オブジェクト２０の動きは、通知オブジェクト２０がユーザＵ１を見る時間を含んでもよい。
【００９０】
また、通知オブジェクト２０が発する音も、一つ目のイベントの例と同様に、特に限定されない。しかし、通知制御部１２３は、通知オブジェクト２０が周辺視野Ｒ３に位置する間は、通知オブジェクト２０によって発せられる音がユーザＵ１の行為を妨げるおそれがあるため、通知オブジェクト２０によって音が発せられないようにしてもよい。一方、通知制御部１２３は、通知オブジェクト２０が中心視野Ｒ１または有効視野Ｒ２に位置する間は、通知オブジェクト２０によって音が発せられるように通知オブジェクト２０を制御してもよい。
【００９１】
（１．３．４．四つ目のイベントの例）
続いて、四つ目のイベントの例として、機器「携帯端末」の状態が、状態「メール受信」となった場合の例について説明する。なお、機器「携帯端末」の状態が、状態「メール受信」となったというイベントは、重要度Ｍ４が、第１の閾値よりも低く、かつ、緊急度Ｎ４が、第２の閾値よりも低いとして、以下の説明を行う。しかし、機器「携帯端末」の状態が、状態「メール受信」となったというイベントの重要度および緊急度は、かかる例に限定されない。
【００９２】
また、上記したように、取得部１２２によって重要度および緊急度のいずれか一方のみが取得されてもよい。すなわち、以下の説明において、重要度Ｍ４が、第１の閾値よりも低く、かつ、緊急度Ｎ４が、第２の閾値よりも低い場合という条件は、単に、重要度Ｍ４が、第１の閾値よりも低い場合という条件に置き換えられてもよい。あるいは、以下の説明において、重要度Ｍ４が、第１の閾値よりも低く、かつ、緊急度Ｎ４が、第２の閾値よりも高い場合という条件は、単に、緊急度Ｎ４が、第２の閾値よりも低い場合という条件に置き換えられてもよい。
【００９３】
図１１は、機器「携帯端末」の状態が、状態「メール受信」となった場合の例について説明するための図である。図１１を参照すると、ユーザＵ１は、テレビジョン装置Ｔ１の画面を見ている。しかし、携帯端末７４がメールを受信している。このとき、携帯端末７４から状態「メール受信」を知らせるための周波数Ｆ２の着信音が出力される。そして、集音部１１１は、かかる着信音を含む音データを集音する。
【００９４】
認識部１２１は、集音部１１１によって集音された音データを解析して解析結果を得る。ここでは、認識部１２１が、呼び出し音の周波数「周波数Ｆ２」を音データの解析結果として得る場合を想定する。かかる場合、取得部１２２は、音データの解析結果「周波数Ｆ２」を取得し、音データの解析結果「周波数Ｆ２」と、あらかじめ登録された音の特徴（図５）とが一致または類似するか否かを判定する。
【００９５】
ここでは、取得部１２２は、音データの解析結果「周波数Ｆ２」とあらかじめ登録された音の特徴「周波数Ｆ２」とが一致すると判定し、あらかじめ登録された音の特徴「周波数Ｆ２」に関連付けられた重要度Ｍ４および緊急度Ｎ４を取得する。通知制御部１２３は、重要度Ｍ４と第１の閾値とを比較するとともに、緊急度Ｎ４と第２の閾値とを比較する。ここでは、上記したように、通知制御部１２３は、重要度Ｍ４が第１の閾値よりも低く、緊急度Ｎ４が第２の閾値よりも低いと判定する。
【００９６】
重要度Ｍ４が第１の閾値よりも低く、緊急度Ｎ４が第２の閾値よりも低い場合には、ユーザＵ１によってはっきりとは見えない位置（例えば、ぼんやりと見える位置）に通知オブジェクト２０が移動され、通知オブジェクト２０から通知内容が通知されるのがユーザＵ１にとって望ましいと考えられる。そこで、図１１に示すように、通知制御部１２３は、重要度Ｍ４が第１の閾値よりも低く、緊急度Ｎ４が第２の閾値よりも低い場合には、通知オブジェクト２０が周辺視野Ｒ３に位置するように制御する。
【００９７】
なお、周辺視野Ｒ３は、二つ目のイベントの例および三つ目のイベントの例と同様にして、認識部１２１によって認識される。通知オブジェクト２０の移動も、一つ目のイベントの例と同様にして、通知制御部１２３によって制御されてよい。
【００９８】
また、通知制御部１２３は、ユーザＵ１に対して、重要度Ｍ４および緊急度Ｎ４に応じた通知内容が通知されるように通知部１５０を制御する。通知内容の通知の開始タイミングは、一つ目のイベントの例と同様に限定されない。例えば、通知内容の通知は、通知オブジェクト２０の周辺視野Ｒ３への移動開始前から開始されてもよいし、通知オブジェクト２０の周辺視野Ｒ３への移動中に開始されてもよいし、通知オブジェクト２０の周辺視野Ｒ３への移動終了後に開始されてもよい。
【００９９】
あるいは、通知内容の通知は、通知オブジェクト２０の中心視野Ｒ１または有効視野Ｒ２への移動開始前から開始されてもよいし、通知オブジェクト２０の中心視野Ｒ１または有効視野Ｒ２への移動中に開始されてもよいし、通知オブジェクト２０の中心視野Ｒ１または有効視野Ｒ２への移動終了後に開始されてもよい。しかし、通知オブジェクト２０が周辺視野Ｒ３に位置する間は、ユーザＵ１によって通知オブジェクト２０の表情が認識されない可能性もある。そのため、通知オブジェクト２０の表情の制御は、通知オブジェクト２０が周辺視野Ｒ３に存在する間はなされなくてもよい。
【０１００】
ユーザＵ１に対して通知される通知内容も、一つ目のイベントの例と同様に限定されない。しかし、通知制御部１２３は、本例においてユーザＵ１に対して通知される通知内容を、一つ目のイベントの例、二つ目のイベントの例および三つ目のイベントの例それぞれにおいてユーザＵ１に対して通知される通知内容と異ならせるのがよい。かかる通知内容は、通知オブジェクト２０の状態を含んでもよいし、通知オブジェクト２０の動きを含んでもよいし、通知オブジェクト２０が発する音を含んでもよい。あるいは、通知内容は、通知オブジェクト２０の状態、通知オブジェクト２０の動きおよび通知オブジェクト２０が発する音のうち、いずれか二つ以上または全部を含んでもよい。
【０１０１】
通知オブジェクト２０の状態は、通知オブジェクト２０の表情を含んでもよい。しかし、上記したように、通知オブジェクト２０が周辺視野Ｒ３に位置する間は、ユーザＵ１によって通知オブジェクト２０の表情が認識されない可能性もある。そのため、通知オブジェクト２０の状態は、通知オブジェクト２０の表情を含まなくてもよい。図１１には、通知制御部１２３が、通知オブジェクト２０の表情を図１に示したノーマルな表情のまま変化させない例が示されている。
【０１０２】
また、通知オブジェクト２０の状態は、通知オブジェクト２０とユーザＵ１との距離を含んでもよい。また、通知オブジェクト２０の動きは、通知オブジェクト２０の一部または全部の動きを含んでもよい。あるいは、通知オブジェクト２０の動きは、通知オブジェクト２０がユーザＵ１を見る頻度を含んでもよい。あるいは、通知オブジェクト２０の動きは、通知オブジェクト２０がユーザＵ１を見る時間を含んでもよい。
【０１０３】
また、通知オブジェクト２０が発する音も、一つ目のイベントの例と同様に、特に限定されない。しかし、通知制御部１２３は、通知オブジェクト２０が周辺視野Ｒ３に位置する間は、通知オブジェクト２０によって発せられる音がユーザＵ１の行為を妨げるおそれがある。そのため、通知制御部１２３は、通知オブジェクト２０が周辺視野Ｒ３に位置する間、通知オブジェクト２０によって音が発せられないようにしてもよい。
【０１０４】
（１．３．５．イベントと通知オブジェクトの位置との対応関係）
以上において、一つ目から四つ目までの各イベントの例を説明した。図１２は、重要度および緊急度と通知オブジェクト２０の位置との対応関係をまとめた図である。なお、図１２に示した例において、「重要度高」は、重要度が第１の閾値よりも高い場合を示し、「重要度低」は、重要度が第１の閾値よりも低い場合を示している。また、図１２に示した例において、「緊急度高」は、緊急度が第２の閾値よりも高い場合を示し、「緊急度低」は、緊急度が第２の閾値よりも低い場合を示している。
【０１０５】
図１２に示すように、イベントの重要度が第１の閾値よりも高く、イベントの緊急度が第２の閾値よりも高い場合、通知制御部１２３は、通知オブジェクト２０が中心視野Ｒ１または有効視野Ｒ２に位置するように通知オブジェクト２０を制御する。
【０１０６】
一方、図１２に示すように、イベントの重要度が第１の閾値よりも高く、イベントの緊急度が第２の閾値よりも低い場合、通知制御部１２３は、通知オブジェクト２０が周辺視野Ｒ３に位置するように通知オブジェクト２０を制御する。このとき、図１２に示すように、ユーザＵ１の状態が所定の状態である場合、通知制御部１２３は、通知オブジェクト２０が中心視野Ｒ１または有効視野Ｒ２に移動するように通知オブジェクト２０を制御する。
【０１０７】
一方、図１２に示すように、イベントの重要度が第１の閾値よりも低く、イベントの緊急度が第２の閾値よりも高い場合、通知制御部１２３は、通知オブジェクト２０が周辺視野Ｒ３に位置するように通知オブジェクト２０を制御する。このとき、図１２に示すように、ユーザＵ１の状態が所定の状態である場合、通知制御部１２３は、通知オブジェクト２０が中心視野Ｒ１または有効視野Ｒ２に移動するように通知オブジェクト２０を制御する。
【０１０８】
また、図１２に示すように、イベントの重要度が第１の閾値よりも低く、イベントの緊急度が第２の閾値よりも低い場合、通知制御部１２３は、通知オブジェクト２０が周辺視野Ｒ３に位置するように通知オブジェクト２０を制御する。
【０１０９】
（１．３．６．各種の変形例）
以上に説明した例においては、イベントが発生した場合、通知オブジェクト２０によって通知内容が特に条件なく、ユーザＵ１に通知される場合を主に説明した。しかし、通知内容がユーザＵ１に通知されない場合があってもよい。例えば、通知制御部１２３は、ユーザＵ１の状況が所定の状況である場合、通知内容が通知オブジェクト２０によってユーザＵ１に通知されないように通知オブジェクト２０を制御してもよい。
【０１１０】
例えば、認識部１２１によって、所定の状態となった機器をユーザＵ１が既に見ていることが認識された場合を想定する。かかる場合、通知制御部１２３は、通知内容が通知オブジェクト２０によってユーザＵ１に通知されないように通知オブジェクト２０を制御してもよい。例えば、所定の状態となった機器をユーザＵ１が見ていることは、撮像部１１２によって撮像された画像から認識部１２１によって認識され得る。
【０１１１】
また、以上に説明した例においては、イベントが発生した場合、通知オブジェクト２０によって通知内容が一度だけユーザＵ１に通知される場合を主に説明した。しかし、通知内容は、ユーザＵ１に二度以上通知されてもよい。例えば、通知制御部１２３は、イベントが所定のイベント（例えば、放置しないほうがよいイベントなど）である場合、ユーザの動作が次の動作に遷移する段階で通知内容がユーザＵ１に再度通知されるように通知オブジェクト２０を制御するとよい。例えば、ユーザＵ１の動作は、撮像部１１２によって撮像された画像から認識部１２１によって認識され得る。
【０１１２】
（１．３．７．動作例）
続いて、本実施形態に係る情報処理システムの動作例について説明する。図１３は、本実施形態に係る情報処理システムの動作例を示すフローチャートである。図１３に示すように、取得部１２２は、イベントの重要度および緊急度の少なくともいずれか一方を含む検出データを取得する（Ｓ１１）。続いて、通知制御部１２３は、ユーザＵ１への通知の必要性を判定する。例えば、ユーザＵ１への通知が必要ないか否かは、イベントが発生した機器をユーザＵ１が既に見ているか否かによって判定され得る。
【０１１３】
続いて、通知制御部１２３は、ユーザＵ１への通知が必要ない場合（Ｓ１２において「Ｎｏ」）、動作を終了する。一方、通知制御部１２３は、ユーザＵ１への通知が必要である場合（Ｓ１２において「Ｙｅｓ」）、検出データに応じた通知がされるように通知オブジェクト２０を制御する（Ｓ１３）。続いて、通知制御部１２３は、ユーザＵ１への再度の通知の必要性を判定する。例えば、ユーザＵ１への再度の通知が必要であるか否かは、イベントが所定のイベント（例えば、放置しないほうがよいイベントなど）であるか否かによって判定され得る。
【０１１４】
続いて、通知制御部１２３は、再度の通知が必要ない場合（Ｓ１４において「Ｎｏ」）、動作を終了する。一方、通知制御部１２３は、再度の通知が必要である場合（Ｓ１４において「Ｙｅｓ」）、Ｓ１５に動作を移行させる。通知制御部１２３は、ユーザＵ１による次の動作が検出されない場合（Ｓ１５において「Ｎｏ」）、Ｓ１５に動作を移行させる。一方、通知制御部１２３は、ユーザＵ１による次の動作が検出された場合（Ｓ１５において「Ｙｅｓ」）、再度の通知がされるように通知オブジェクト２０を制御し（Ｓ１６）、動作を終了する。
【０１１５】
以上、本実施形態に係る情報処理システムの動作例について説明した。
【０１１６】
（１．３．８．通知オブジェクトの位置制御の他の例）
上記した例では、通知制御部１２３は、重要度が第１の閾値よりも低く、緊急度が第２の閾値よりも高い場合、通知オブジェクト２０をまずは周辺視野Ｒ３に位置させ、ユーザＵ１の状態が所定の状態であるか否かに応じて、通知オブジェクト２０をユーザＵ１の中心視野Ｒ１または有効視野Ｒ２に位置させるか否かを制御する例を説明した。しかし、重要度が第１の閾値よりも低く、緊急度が第２の閾値よりも高い場合における通知オブジェクト２０の位置制御は、かかる例に限定されない。
【０１１７】
図１４は、重要度および緊急度と通知オブジェクト２０の位置との他の対応関係をまとめた図である。図１４に示したように、通知制御部１２３は、重要度が第１の閾値よりも低く、緊急度が第２の閾値よりも高い場合であっても、通知オブジェクト２０を周辺視野Ｒ３に位置させなくてもよい。そして、通知制御部１２３は、ユーザＵ１の状態が所定の状態であるか否かに応じて、通知オブジェクト２０をユーザＵ１の中心視野Ｒ１または有効視野Ｒ２に位置させるか否かを制御してもよい。
【０１１８】
また、上記した例では、通知制御部１２３は、重要度が第１の閾値よりも高く、緊急度が第２の閾値よりも低い場合、通知オブジェクト２０をまずは周辺視野Ｒ３に位置させ、ユーザＵ１の状態が所定の状態であるか否かに応じて、通知オブジェクト２０をユーザＵ１の中心視野Ｒ１または有効視野Ｒ２に位置させるか否かを制御する例を説明した。しかし、重要度が第１の閾値よりも高く、緊急度が第２の閾値よりも低い場合における通知オブジェクト２０の位置制御は、かかる例に限定されない。
【０１１９】
図１５は、重要度および緊急度と通知オブジェクト２０の位置との他の対応関係をまとめた図である。図１５に示したように、通知制御部１２３は、重要度が第１の閾値よりも高く、緊急度が第２の閾値よりも低い場合であっても、通知オブジェクト２０を周辺視野Ｒ３に位置させなくてもよい。そして、通知制御部１２３は、ユーザＵ１の状態が所定の状態であるか否かに応じて、通知オブジェクト２０をユーザＵ１の中心視野Ｒ１または有効視野Ｒ２に位置させるか否かを制御してもよい。
【０１２０】
＜２．ハードウェア構成例＞
次に、図１６を参照して、本開示の実施形態に係る情報処理装置（エージェント）１０のハードウェア構成例について説明する。図１６は、本開示の実施形態に係る情報処理装置１０のハードウェア構成例を示すブロック図である。
【０１２１】
図１６に示すように、情報処理装置１０は、ＣＰＵ（Ｃｅｎｔｒａｌ  Ｐｒｏｃｅｓｓｉｎｇ  ｕｎｉｔ）９０１、ＲＯＭ（Ｒｅａｄ  Ｏｎｌｙ  Ｍｅｍｏｒｙ）９０３、およびＲＡＭ（Ｒａｎｄｏｍ  Ａｃｃｅｓｓ  Ｍｅｍｏｒｙ）９０５を含む。また、情報処理装置１０は、ホストバス９０７、ブリッジ９０９、外部バス９１１、インターフェース９１３、入力装置９１５、出力装置９１７、ストレージ装置９１９、ドライブ９２１、接続ポート９２３、通信装置９２５を含んでもよい。さらに、情報処理装置１０は、必要に応じて、撮像装置９３３、およびセンサ９３５を含んでもよい。情報処理装置１０は、ＣＰＵ９０１に代えて、またはこれとともに、ＤＳＰ（Ｄｉｇｉｔａｌ  Ｓｉｇｎａｌ  Ｐｒｏｃｅｓｓｏｒ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）と呼ばれるような処理回路を有してもよい。
【０１２２】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報処理装置１０内の動作全般またはその一部を制御する。ＲＯＭ９０３は、ＣＰＵ９０１が使用するプログラムや演算パラメータなどを記憶する。ＲＡＭ９０５は、ＣＰＵ９０１の実行において使用するプログラムや、その実行において適宜変化するパラメータなどを一時的に記憶する。ＣＰＵ９０１、ＲＯＭ９０３、およびＲＡＭ９０５は、ＣＰＵバスなどの内部バスにより構成されるホストバス９０７により相互に接続されている。さらに、ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【０１２３】
入力装置９１５は、例えば、マウス、キーボード、タッチパネル、ボタン、スイッチおよびレバーなど、ユーザによって操作される装置である。入力装置９１５は、ユーザの音声を検出するマイクロフォンを含んでもよい。入力装置９１５は、例えば、赤外線やその他の電波を利用したリモートコントロール装置であってもよいし、情報処理装置１０の操作に対応した携帯電話などの外部接続機器９２９であってもよい。入力装置９１５は、ユーザが入力した情報に基づいて入力信号を生成してＣＰＵ９０１に出力する入力制御回路を含む。ユーザは、この入力装置９１５を操作することによって、情報処理装置１０に対して各種のデータを入力したり処理動作を指示したりする。また、後述する撮像装置９３３も、ユーザの手の動き、ユーザの指などを撮像することによって、入力装置として機能し得る。このとき、手の動きや指の向きに応じてポインティング位置が決定されてよい。
【０１２４】
出力装置９１７は、取得した情報をユーザに対して視覚的または聴覚的に通知することが可能な装置で構成される。出力装置９１７は、例えば、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイ、プロジェクタなどの表示装置、ホログラムの表示装置、スピーカおよびヘッドホンなどの音声出力装置、ならびにプリンタ装置などであり得る。出力装置９１７は、情報処理装置１０の処理により得られた結果を、テキストまたは画像などの映像として出力したり、音声または音響などの音声として出力したりする。また、出力装置９１７は、周囲を明るくするためライトなどを含んでもよい。
【０１２５】
ストレージ装置９１９は、情報処理装置１０の記憶部の一例として構成されたデータ格納用の装置である。ストレージ装置９１９は、例えば、ＨＤＤ（Ｈａｒｄ  Ｄｉｓｋ  Ｄｒｉｖｅ）などの磁気記憶部デバイス、半導体記憶デバイス、光記憶デバイス、または光磁気記憶デバイスなどにより構成される。このストレージ装置９１９は、ＣＰＵ９０１が実行するプログラムや各種データ、および外部から取得した各種のデータなどを格納する。
【０１２６】
ドライブ９２１は、磁気ディスク、光ディスク、光磁気ディスク、または半導体メモリなどのリムーバブル記録媒体９２７のためのリーダライタであり、情報処理装置１０に内蔵、あるいは外付けされる。ドライブ９２１は、装着されているリムーバブル記録媒体９２７に記録されている情報を読み出して、ＲＡＭ９０５に出力する。また、ドライブ９２１は、装着されているリムーバブル記録媒体９２７に記録を書き込む。
【０１２７】
接続ポート９２３は、機器を情報処理装置１０に直接接続するためのポートである。接続ポート９２３は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポートなどであり得る。また、接続ポート９２３は、ＲＳ−２３２Ｃポート、光オーディオ端子、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ポートなどであってもよい。接続ポート９２３に外部接続機器９２９を接続することで、情報処理装置１０と外部接続機器９２９との間で各種のデータが交換され得る。
【０１２８】
通信装置９２５は、例えば、通信ネットワーク９３１に接続するための通信デバイスなどで構成された通信インターフェースである。通信装置９２５は、例えば、有線または無線ＬＡＮ（Ｌｏｃａｌ  Ａｒｅａ  Ｎｅｔｗｏｒｋ）、Ｂｌｕｅｔｏｏｔｈ（登録商標）、またはＷＵＳＢ（Ｗｉｒｅｌｅｓｓ  ＵＳＢ）用の通信カードなどであり得る。また、通信装置９２５は、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデムなどであってもよい。通信装置９２５は、例えば、インターネットや他の通信機器との間で、ＴＣＰ／ＩＰなどの所定のプロトコルを用いて信号などを送受信する。また、通信装置９２５に接続される通信ネットワーク９３１は、有線または無線によって接続されたネットワークであり、例えば、インターネット、家庭内ＬＡＮ、赤外線通信、ラジオ波通信または衛星通信などである。
【０１２９】
撮像装置９３３は、例えば、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像素子、および撮像素子への被写体像の結像を制御するためのレンズなどの各種の部材を用いて実空間を撮像し、撮像画像を生成する装置である。撮像装置９３３は、静止画を撮像するものであってもよいし、また動画を撮像するものであってもよい。
【０１３０】
センサ９３５は、例えば、測距センサ、加速度センサ、ジャイロセンサ、地磁気センサ、光センサ、音センサなどの各種のセンサである。センサ９３５は、例えば情報処理装置１０の筐体の姿勢など、情報処理装置１０自体の状態に関する情報や、情報処理装置１０の周辺の明るさや騒音など、情報処理装置１０の周辺環境に関する情報を取得する。また、センサ９３５は、ＧＰＳ（Ｇｌｏｂａｌ  Ｐｏｓｉｔｉｏｎｉｎｇ  Ｓｙｓｔｅｍ）信号を受信して装置の緯度、経度および高度を測定するＧＰＳセンサを含んでもよい。
【０１３１】
＜３．むすび＞
以上説明したように、本開示の実施形態によれば、イベントの重要度および緊急度の少なくともいずれか一方を含む検出データを取得する取得部１２２と、検出データの内容に応じて異なる通知を実行する通知オブジェクト２０によって所定の通知内容がユーザＵ１に通知されるように通知オブジェクト２０を制御する通知制御部１２３と、を備え、通知制御部１２３は、検出データに基づいて、通知オブジェクト２０をユーザＵ１の中心視野または有効視野に位置させるか否かを制御する、情報処理装置１０が提供される。かかる構成によれば、イベントが発生した場合に、よりユーザＵ１が望むようにユーザＵ１に対して通知がされるように制御することが可能となる。
【０１３２】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１３３】
例えば、上記では、機器の状態が所定の状態となったことがイベントとして検出される例を主に説明した。そして、イベントの重要度および緊急度の少なくともいずれか一方が検出データとして取得される例を主に説明した。しかし、上記におけるイベントの重要度の代わりに、人と人との間で行われるコミュニケーションの重要度、コミュニケーションの盛り上がり度、および、コミュニケーションに対するユーザＵ１の興味度などに置き換えられてもよい。
【０１３４】
ここで、コミュニケーションは、対面で行われるコミュニケーションであってもよいし、インターネットなどを介して行われるコミュニケーションであってもよい。また、重要度、盛り上がり度、および、興味度は、認識部１２１によって、コミュニケーションの内容に基づいて認識されてもよいし、コミュニケーションの頻度に基づいて認識されてもよいし（頻度が高いほど重要度、盛り上がり度、および、興味度が高くなってもよい）、コミュニケーションへの参加者の数に基づいて認識されてもよい（参加者の数が多いほど重要度、盛り上がり度、および、興味度が高くなってもよい）。
【０１３５】
例えば、通知制御部１２３は、重要度、盛り上がり度、および、興味度のいずれかが閾値を超えた場合に、ユーザＵ１への通知内容が通知されるように（あるいは、ユーザＵ１への通知内容が変化するように）通知オブジェクト２０を制御してもよい。例えば、通知制御部１２３は、重要度、盛り上がり度、および、興味度のいずれかが閾値を超えた場合に、通知オブジェクト２０をユーザＵ１に近づけてもよいし、通知オブジェクト２０がユーザＵ１を見る頻度を高めてもよいし、通知オブジェクト２０がユーザＵ１を見る時間を長くしてもよいし、通知オブジェクト２０の表情を変化させてもよい。
【０１３６】
また、上記では、イベントの重要度および緊急度に応じて異なる通知内容がユーザＵ１に通知される例を説明した。そして、通知内容は、通知オブジェクト２０が発する音であってもよく、通知オブジェクト２０が発する音は、ユーザＵ１によって解釈され得るテキストの読み上げによって発せられてもよい旨を説明した。このとき、重要度および緊急度に応じて、読み上げられるテキストの語気が変えられてもよい。
【０１３７】
また、上記では、通知内容は、通知オブジェクト２０の表情であってもよい旨を説明した。このとき、通知オブジェクト２０の表情は、上記した例に限定されない。例えば、通知オブジェクト２０の表情は、上記した情報処理システム（または、エージェント１０）が利用される地域の文化などに応じて、異なってもよい。
【０１３８】
また、コンピュータに内蔵されるＣＰＵ、ＲＯＭおよびＲＡＭなどのハードウェアを、上記した制御部１２０が有する機能と同等の機能を発揮させるためのプログラムも作成可能である。また、該プログラムを記録した、コンピュータに読み取り可能な記録媒体も提供され得る。
【０１３９】
例えば、上記した情報処理装置１０の動作が実現されれば、各構成の位置は特に限定されない。情報処理装置１０における各部の処理の一部はサーバ装置（不図示）によって行われてもよい。具体的な一例として、情報処理装置１０における制御部１２０が有する各ブロックの一部または全部は、サーバ装置（不図示）などに存在していてもよい。例えば、情報処理装置１０における認識部１２１の機能の一部または全部は、サーバ装置（不図示）などに存在していてもよい。
【０１４０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【０１４１】
なお、以下のような構成も本開示の技術的範囲に属する。
（１）
イベントの重要度および緊急度の少なくともいずれか一方を含む検出データを取得する取得部と、
前記検出データの内容に応じて異なる通知を実行する通知オブジェクトによって所定の通知内容がユーザに通知されるように前記通知オブジェクトを制御する通知制御部と、を備え、
前記通知制御部は、前記検出データに基づいて、前記通知オブジェクトを前記ユーザの中心視野または有効視野に位置させるか否かを制御する、
情報処理装置。
（２）
前記検出データは、前記重要度を含み、
前記通知制御部は、前記重要度が第１の閾値よりも高い場合、前記通知オブジェクトを前記中心視野または前記有効視野に位置させる、
前記（１）に記載の情報処理装置。
（３）
前記通知制御部は、前記重要度が前記第１の閾値よりも高い場合、前記ユーザの状態が所定の状態であるか否かに応じて、前記通知オブジェクトを前記中心視野または前記有効視野に位置させるか否かを制御する、
前記（２）に記載の情報処理装置。
（４）
前記通知制御部は、前記重要度が前記第１の閾値よりも高い場合、前記通知オブジェクトを前記ユーザの周辺視野に位置させ、前記ユーザの状態が所定の状態であるか否かに応じて、前記通知オブジェクトを前記周辺視野から前記中心視野または前記有効視野に移動させるか否かを制御する、
前記（３）に記載の情報処理装置。
（５）
前記通知制御部は、前記重要度が前記第１の閾値よりも低い場合、前記通知オブジェクトを周辺視野に位置させる、
前記（２）に記載の情報処理装置。
（６）
前記通知制御部は、前記重要度が前記第１の閾値よりも高い場合と、前記重要度が前記第１の閾値よりも低い場合とにおいて、前記通知内容を異ならせる、
前記（２）〜（５）のいずれか一項に記載の情報処理装置。
（７）
前記検出データは、前記緊急度を含み、
前記通知制御部は、前記緊急度が第２の閾値よりも高い場合、前記通知オブジェクトを前記中心視野または前記有効視野に位置させる、
前記（１）に記載の情報処理装置。
（８）
前記通知制御部は、前記緊急度が前記第２の閾値よりも高い場合、前記ユーザの状態が所定の状態であるか否かに応じて、前記通知オブジェクトを前記中心視野または前記有効視野に位置させるか否かを制御する、
前記（７）に記載の情報処理装置。
（９）
前記通知制御部は、前記緊急度が前記第２の閾値よりも高い場合、前記通知オブジェクトを前記ユーザの周辺視野に位置させ、前記ユーザの状態が所定の状態であるか否かに応じて、前記通知オブジェクトを前記周辺視野から前記中心視野または前記有効視野に移動させるか否かを制御する、
前記（８）に記載の情報処理装置。
（１０）
前記通知制御部は、前記緊急度が前記第２の閾値よりも低い場合、前記通知オブジェクトを周辺視野に位置させる、
前記（７）に記載の情報処理装置。
（１１）
前記通知制御部は、前記緊急度が前記第２の閾値よりも高い場合と、前記緊急度が前記第２の閾値よりも低い場合とにおいて、前記通知内容を異ならせる、
前記（７）〜（１０）のいずれか一項に記載の情報処理装置。
（１２）
前記通知制御部は、前記ユーザの状況が所定の状況である場合、前記通知内容が前記通知オブジェクトによって前記ユーザに通知されないように前記通知オブジェクトを制御する、
前記（１）〜（１１）のいずれか一項に記載の情報処理装置。
（１３）
前記通知制御部は、前記イベントが所定のイベントである場合、前記ユーザの動作が次の動作に遷移する段階で前記通知内容が前記ユーザに再度通知されるように前記通知オブジェクトを制御する、
前記（１）〜（１２）のいずれか一項に記載の情報処理装置。
（１４）
前記通知内容は、前記通知オブジェクトの状態、前記通知オブジェクトの動き、および、前記通知オブジェクトが発する音の少なくともいずれか一つを含む、
前記（１）〜（１３）のいずれか一項に記載の情報処理装置。
（１５）
前記取得部は、機器から受信された情報から前記検出データを取得する、
前記（１）〜（１４）のいずれか一項に記載の情報処理装置。
（１６）
前記取得部は、検出された音データの解析結果があらかじめ登録された登録情報と一致または類似する場合に、前記登録情報に関連付けられた前記検出データを取得する、
前記（１）〜（１４）のいずれか一項に記載の情報処理装置。
（１７）
前記通知オブジェクトは、実空間に位置する実オブジェクトを含む、
前記（１）〜（１６）のいずれか一項に記載の情報処理装置。
（１８）
前記通知オブジェクトは、仮想空間に配置された仮想オブジェクトを含む、
前記（１）〜（１６）のいずれか一項に記載の情報処理装置。
（１９）
イベントの重要度および緊急度の少なくともいずれか一方を含む検出データを取得することと、
前記検出データの内容に応じて異なる通知を実行する通知オブジェクトによって所定の通知内容がユーザに通知されるように前記通知オブジェクトを制御することと、を含み、
プロセッサにより、前記検出データに基づいて、前記通知オブジェクトを前記ユーザの中心視野または有効視野に位置させるか否かを制御することを含む、
情報処理方法。
（２０）
コンピュータを、
イベントの重要度および緊急度の少なくともいずれか一方を含む検出データを取得する取得部と、
前記検出データの内容に応じて異なる通知を実行する通知オブジェクトによって所定の通知内容がユーザに通知されるように前記通知オブジェクトを制御する通知制御部と、を備え、
前記通知制御部は、前記検出データに基づいて、前記通知オブジェクトを前記ユーザの中心視野または有効視野に位置させるか否かを制御する、
情報処理装置として機能させるためのプログラム。
【符号の説明】
【０１４２】
１０    情報処理装置（エージェント）
１１０  検出部
１１１  集音部
１１２  撮像部
１２０  制御部
１２１  認識部
１２２  取得部
１２３  通知制御部
１３０  記憶部
１４０  通信部
１５０  通知部
１５１  音出力部
１５２  表示部
２０    通知オブジェクト
【図１】
2018179972.tif 000003
【図２】
2018179972.tif 000004
【図３】
2018179972.tif 000005
【図４】
2018179972.tif 000006
【図５】
2018179972.tif 000007
【図６】
2018179972.tif 000008
【図７】
2018179972.tif 000009
【図８】
2018179972.tif 000010
【図９】
2018179972.tif 000011
【図１０】
2018179972.tif 000012
【図１１】
2018179972.tif 000013
【図１２】
2018179972.tif 000014
【図１３】
2018179972.tif 000015
【図１４】
2018179972.tif 000016
【図１５】
2018179972.tif 000017
【図１６】
2018179972.tif 000018
【国際調査報告】
2018179972.tif 000019
2018179972.tif 000020
2018179972.tif 000021
2018179972.tif 000022